(57)【要約】【課題】異なる遊技台に対して主構成を利用できる施錠装置を提供する。【解決手段】シリンダ錠１の背面側にてキー挿入方向に延設された長手状の延長杆５Ｂを有したテールピース５を、錠機構部５２に設けられて解錠動作にかかる回動出力をするカム板２７を回動可能に支持する連結部材１０の筒軸１１に嵌合連結する。これにより、シリンダ錠１の主構成や錠機構部５２の構成を変えずに延長杆５Ｂおよび筒軸１１の長さ分、シリンダ錠１の取り付け位置を移動させることができる。すなわち、例えば、パチンコ遊技台に対して正面パネル５１の形状が異なるスロット遊技台に対し、パチンコ遊技台に採用している施錠装置の主構成が利用可能となり、コストを低減することができるとともに、パチンコ遊技台およびスロット遊技台双方に使用できる汎用性を得て、且つ、パチンコ遊技台およびスロット遊技台を同じ合鍵で解錠可能となる利便性をも得る。【選択図】　　　　図１
2004049549.tif 000002
【特許請求の範囲】
【請求項１】
筐体に開閉自在となった前枠を施錠するため、前記前枠側に固設されて前記筐体に係脱可能とされた錠機構部を有した遊技機の施錠装置において、
前記前枠の正面にキー穴を表出して取り付けられるシリンダ錠と、
前記シリンダ錠のキー穴に挿入された合鍵の回動操作に伴って回動可能とされ、前記シリンダ錠の背面側にてキー挿入方向に延設された長手状の延長杆を有したテールピースと、
前記錠機構部に設けられ、前記筐体との解錠動作にかかる回動出力をする出力部材と、
前記錠機構部に設けられ、前記出力部材を回動可能に支持するとともに、前記テールピースの前記延長杆と嵌合連結して、前記テールピースの回動を前記出力部材に伝達する連結部材と、
を備えたことを特徴とする施錠装置。
【請求項２】
請求項１記載の施錠装置において、
前記連結部材が、前記出力部材の回動を作用するとともに、前記延長杆を嵌挿するように長手筒状に形成された筒軸を有し、
前記筒軸と前記延長杆との嵌合が、前記筒軸および前記延長杆の長手方向に摺動可能な状態にてなされることを特徴とする施錠装置。
【請求項３】
請求項２記載の施錠装置において、
前記連結部材が、前記筒軸と、前記錠機構部に取り付けられて前記筒軸を回動可能、且つ、傾斜可能となるように支持する取付基部と、該取付基部に回動可能に支持されるとともに前記出力部材を支持し、前記筒軸が前記出力部材の回動軸線に対して傾斜可能となるように前記筒軸内に挿通嵌合する嵌合子をなす支持軸とを有し、
前記シリンダ錠による前記テールピースの回動軸線と、前記出力部材の回動軸線とを屈曲連結させることを特徴とする施錠装置。
【請求項４】
請求項２または請求項３記載の施錠装置において、
前記テールピースが、前記延長杆の先端において、前記筒軸の回動軸線に対して前記テールピースの回動軸線を傾斜可能となるように前記筒軸内に挿通嵌合する嵌合子を膨出形成してなり、
前記筒軸の回動軸線と、前記シリンダ錠による前記テールピースの回動軸線とを屈曲連結させることを特徴とする施錠装置。
【発明の詳細な説明】
【０００１】
【発明の属する技術分野】
本発明は、筐体に開閉自在とされた前枠を筐体に対して施錠する遊技機の施錠装置に関し、さらに詳しくは、様々な遊技機に対して汎用性および利便性を備えた施錠装置の改良技術に関する。
【０００２】
【従来の技術】
一般に、パチンコ遊技台等の施錠装置として、例えば実公昭５８−４５３８号公報に開示されているものがある。図１６に示すように、この施錠装置は、外枠１０７に開閉自在とされた前枠１００を、外枠１０７に対して施錠するためのものである。前枠１００の開放側裏面には、シリンダ錠１０１とともに錠機構部１０２が取り付けられている。シリンダ錠１０１は、錠軸１０１ａにカム板１０３が取り付けられている。錠機構部１０２は、主に、上下一対の係止鉤片１０４を有する操作杆１０５が、基枠体１０６を介して前枠１００に取り付けられている。シリンダ錠１０１は、基枠体１０６に取り付けられている。これにより、シリンダ錠１０１のキー穴が、前枠１００の正面側に表出される。一方、外枠１０７の開放側内側面の上下位置には、各係止鉤片１０４が係脱する係止金具１０８がそれぞれ固定されている。
【０００３】
この施錠装置は、前枠１００を外枠１０７に対して閉じることで、各係止金具１０８に各係止鉤片１０４が係止して施錠される。そして、シリンダ錠１０１の回動操作によってカム板１０３を回動させて操作杆１０５を上下方向へ摺動させることにより、各係止金具１０８と各係止鉤片１０４との係止が解除されて前枠１００が解錠される。
【０００４】
図１７に示すように、施錠装置のシリンダ錠１０１は、基枠体１０６に固定されている。そして、シリンダ錠１０１の背面側に延出された錠軸１０２に、カム板１０３が取り付けられている。シリンダ錠１０１の奥行き方向の長さＬは、前枠１００の厚みを受ける長さである。
【０００５】
ところで、上記パチンコ遊技台が設置された遊技場には、メダルを遊技媒体としたスロット遊技台も設置されていることが多い。図示しないが、スロット遊技台は、外枠１０７に対して開閉可能とされた前枠としての正面パネルを有している。正面パネルの正面には、メダル投入部・操作ボタン・操作レバーなどが配されている。このため、スロット遊技台の正面パネルは、上記パチンコ遊技台の前枠１００と構成が異なる。すなわち、スロット遊技台の正面パネルとパチンコ遊技台の前枠１００とでは、シリンダ錠１０１が表出する正面側の位置と、各係止鉤片１０４を脱する外枠１０７側の各係止金具１０８の位置との間隔が異なり、スロット遊技台の方がパチンコ遊技台よりも奥行き方向に長い間隔が必要となる。
【０００６】
図１８は従来の施錠装置を示す断面図である。
図１８に示す施錠装置は、スロット遊技台の正面パネル１００’における上記奥行き方向の間隔を埋めるため、シリンダ錠１０１の奥行き方向の長さＬを長くした構成である。この構成であれば、シリンダ錠１０１以外の構成をパチンコ遊技台に設ける施錠装置の構成と共用できる。
【発明が解決しようとする課題】
しかしながら、上述した従来の施錠装置では、奥行き方向の長さＬを長くした新たなシリンダ錠１０１が必要である。新たなシリンダ錠１０１を成形するには、その外筒を得るための新たな金型などが必要であり、また、内筒を得るための新たな構成が必要となる。このため、コストが嵩むとともに、汎用性が損なわれるという問題点があった。
【０００７】
また、図１８に示す従来の施錠装置に対し、シリンダ錠１０１の長さＬをそのままとすることが考えられるが、上下一対の係止鉤片１０４および操作杆１０５を含む基枠体１０６を変更して新たな構成を必要とするため、やはりコストが嵩み、汎用性が損なわれてしまう。
【０００８】
そこで本発明は、上記課題を解消するために、スロット遊技台に対しても、パチンコ遊技台に採用している主構成を利用することにより、コストを低減するとともに、パチンコ遊技台およびスロット遊技台双方に使用できる汎用性を得て、且つ、パチンコ遊技台およびスロット遊技台を同じ合鍵で解錠可能となる利便性をも得ることができる施錠装置を提供することを目的としている。
【０００９】
【課題を解決するための手段】
上記目的を達成するため本発明による請求項１記載の施錠装置は、
筐体５０に開閉自在となった前枠５１を施錠するため、前記前枠５１側に固設されて前記筐体５０に係脱可能とされた錠機構部５２を有した遊技機の施錠装置において、
前記前枠５１の正面にキー穴４を表出して取り付けられるシリンダ錠１と、
前記シリンダ錠１のキー穴４に挿入された合鍵の回動操作に伴って回動可能とされ、前記シリンダ錠１の背面側にてキー挿入方向に延設された長手状の延長杆５Ｂを有したテールピース５と、
前記錠機構部５２に設けられ、前記筐体５０との解錠動作にかかる回動出力をする出力部材２７と、
前記錠機構部５２に設けられ、前記出力部材２７を回動可能に支持するとともに、前記テールピース５の前記延長杆５Ｂと嵌合連結して、前記テールピース５の回動を前記出力部材２７に伝達する連結部材１０と、
を備えたことを特徴とする。
【００１０】
この施錠装置では、シリンダ錠１の主構成や錠機構部５２の構成をそのままとして、テールピース５を代えることで、少なくとも延長杆５Ｂの長さ分シリンダ錠１の取り付け位置が移動できる。これにより、例えば、パチンコ遊技台に対して前枠５１の形状が異なるスロット遊技台に対しても、パチンコ遊技台に採用している施錠装置の主構成が利用可能である。
【００１１】
請求項２記載の施錠装置は、請求項１記載の施錠装置において、
前記連結部材１０が、前記出力部材２７の回動を作用するとともに、前記延長杆５Ｂを嵌挿するように長手筒状に形成された筒軸１１を有し、
前記筒軸１１と前記延長杆５Ｂとの嵌合が、前記筒軸１１および前記延長杆５Ｂの長手方向に摺動可能な状態にてなされることを特徴とする。
【００１２】
この施錠装置では、シリンダ錠１の取り付け位置を、前記長手方向に移動させることができる。これにより、種々の前枠５１の正面位置に対応してシリンダ錠１の取り付け位置が決められ、また、筐体５０，前枠５１，錠機構部５２などの取り付け公差に対応してシリンダ錠１の取り付け位置が決められる。
【００１３】
請求項３記載の施錠装置は、請求項２記載の施錠装置において、
前記連結部材１０が、前記筒軸１１と、前記錠機構部５２に取り付けられて前記筒軸１１を回動可能、且つ、傾斜可能となるように支持する取付基部１３と、該取付基部１３に回動可能に支持されるとともに前記出力部材２７を支持し、前記筒軸１１が前記出力部材２７の回動軸線に対して傾斜可能となるように前記筒軸１１内に挿通嵌合する嵌合子１２Ｂをなす支持軸１２とを有し、
前記シリンダ錠１による前記テールピース５の回動軸線と、前記出力部材２７の回動軸線とを屈曲連結させることを特徴とする。
【００１４】
この施錠装置では、前枠５１の正面形状に合わせてシリンダ錠１の正面位置を傾けることができる。
【００１５】
請求項４施錠装置は、請求項２または請求項３記載の施錠装置において、
前記テールピース５が、前記延長杆５Ｂの先端において、前記筒軸１１の回動軸線に対して前記テールピース５の回動軸線を傾斜可能となるように前記筒軸１１内に挿通嵌合する嵌合子５Ｃを膨出形成してなり、
前記筒軸１１の回動軸線と、前記シリンダ錠１による前記テールピース５の回動軸線とを屈曲連結させることを特徴とする。
【００１６】
この施錠装置では、前枠５１の正面形状に合わせてシリンダ錠１の正面位置を傾けることができる。また、請求項３および請求項４記載の構成を組み合わせることにより、シリンダ錠１の正面位置を傾けたり、さらに、シリンダ錠１を出力部材２７の回動軸線に平行して移動させることもできる。
【００１７】
【発明の実施の形態】
以下、本発明の実施の形態を図面を参照して具体的に説明する。
図１は本発明の施錠装置の構成図である。
【００１８】
本実施の形態による施錠装置は、主として遊技機であるスロット遊技台用いられるものである。図１に示すように、スロット遊技台は、筐体５０に開閉自在となった前枠としての正面パネル５１を有している。筐体５０は、固定のものであり、正面パネル５１が筐体５０に対して開閉する。施錠装置は、筐体５０に正面パネル５１を施錠する。
【００１９】
施錠装置は、正面パネル５１の背面側に固設されて、筐体５０側に係脱可能とされた錠機構部５２を有する。本実施の形態による施錠装置は、この錠機構部５２にかかり、要部であるシリンダ錠１と連結部材１０とを備えている。
【００２０】
まず、錠機構部５２について説明する。
図２は錠機構部の分解斜視図、図３（ａ）は錠機構部の組立側面図、図３（ｂ）は錠機構部の組立背面図、図４（ａ）は錠機構部の動作を示す側面図、図４（ｂ）は錠機構部の動作を示す背面図、図５（ａ）は錠機構部の別の動作を示す側面図、図５（ｂ）は錠機構部の別の動作を示す背面図である。
【００２１】
図２に示すように、錠機構部５２は、断面が略Ｌ字状となるレール状の基枠体２０を有している。この基枠体２０は、図１に示すように、正面パネル５１の背面側に固定される。基枠体２０の長手方向の上下両端には、図３（ａ）に示す支持ピン２１を介して係止鉤片２２が回動自在に取り付けられている。係止鉤片２２は、図１に示すように、正面パネル５１の背面より後方に突出する。この一対の係止鉤片２２は、基枠体２０の長手方向に摺動自在となる長尺の操作杆２３の両端に図３（ａ）に示す各回動軸２４を介して連結されている。つまり、係止鉤片２２と操作杆２３は、操作杆２３の摺動によって上下一対の係止鉤片２２が同時に揺動するリンク機構を構成している。
【００２２】
また、基枠体２０と操作杆２３との間には可動部材２５が配設されている。可動部材２５は、操作杆２３と同方向の上下方向に摺動自在となっている。可動部材２５には、係止板２５ａが突設されている。係止板２５ａは、基枠体２０の起立板２０ａに穿設した長穴２０ｂを貫通して、図３（ｂ）に示すように突出される。
【００２３】
基枠体２０と操作杆２３との間には、バネ２６Ａが張架されている。バネ２６Ａは操作杆２３を図２の下方に付勢する。また、基枠体２０と可動部材２５との間には、バネ２６Ｂが張架されている。バネ２６Ｂは、可動部材２５を図２の上方向に付勢する。
【００２４】
操作杆２３は、図４（ａ），（ｂ）に示すように、バネ２６Ａの付勢力に抗して上方向に摺動されることで、上下の係止鉤片２２を揺動して筐体５０との係止を解除し、正面パネル５１が筐体５０に対して解錠される。一方、可動部材２５は、図５に示すように、バネ２６Ｂの付勢力に抗して下方向に摺動されることで、正面パネル５１にある別の扉（不図示）に対する係止板２５ａの係止を解除したり、あるいは、スロット遊技台におけるメダル払い出し用のリセットスイッチ（不図示）を作動させる。このリセットスイッチは、例えばメダルの払い出し中に、払い出すべきメダルがなくなったとき、正面パネル５１を開けてメダルの補充を行い、その後残りのメダルの払い出しを行わせるためのものである。
【００２５】
上述した操作杆２３の上方向への摺動、および可動部材２５の下方向への摺動は、出力部材としてのカム板２７の回動に起因する。図４（ｂ）に示すように、背面視でカム板２７が反時計廻りに回動されると、操作杆２３の上方向への摺動が行われる。また、図５（ｂ）に示すように、背面視でカム板２７が時計廻りに回動させると、可動部材２５の下方向への摺動が行われる。
【００２６】
次に、本発明の要部であるシリンダ錠１について説明する。
図６（ａ）はシリンダ錠を示す正面図、図６（ｂ）はシリンダ錠を示す側面図、図６（ｃ）はシリンダ錠を示す背面図、図７（ａ）はテールピースを示す側面図、図７（ｂ）はテールピースを示す背面図である。
【００２７】
図６（ａ）〜（ｃ）に示すように、シリンダ錠１は、外筒２と、内筒３と、キー穴４と、テールピース５とを有する。外筒２は、シリンダ錠１の外筐をなすものである。外筒２は、その背面側にフランジ部２Ａを有している。内筒３は、外筒２に内挿され、シリンダ錠１の要部をなす。キー穴４は、内筒３の正面側から背面側である内筒３の軸方向に貫通しており、正面側からキーが挿入される。内筒３は、キー穴４から合鍵が挿入されたときのみ外筒２内での回動が許可される。テールピース５は、外筒２の背面側内部にて内筒３と係合する基材５Ａと、外筒２の背面側のキー挿入方向に延設された長手状の延長杆５Ｂとを有している。テールピース５は、外筒２の背面側の蓋体２Ｂを介して外筒２に内装され、キー穴４に挿入したキーが合鍵のときに内筒３とともに回動する。
【００２８】
図７（ａ），（ｂ）に示すように、テールピース５の基材５Ｂは、略円盤状に形成されている。基材５Ａの円周には、複数の突起５Ａａが設けられている。この突起５Ａａが内筒３に係合する。また、テールピース５の延長杆５Ｂは、基材５Ａの中心に円柱状にして立設されている。すなわち、延長杆５Ｂは、キー穴４への合鍵の挿入によって回動する内筒３とともに回動する基材５Ａの回動軸線上にある。この延長杆５Ｂの先端には、嵌合子５Ｃが膨出形成されている。嵌合子５Ｃは、延長杆５Ｂの径よりも大径の球体をなし、その外周が回動軸線に沿って複数（本実施の形態では六面）の面５Ｃａを形成するごとく切削されている。
【００２９】
シリンダ錠１は、テールピース５以外にかかる構成が、従来、パチンコ遊技台に一般に用いられているシリンダ錠１と同様の構成である。すなわち、テールピース５を代えることにより、本実施の形態のシリンダ錠１と、一般に用いられているシリンダ錠とを得ることが可能である。
【００３０】
上記構成のシリンダ錠１は、外筒２のフランジ部２Ａが、図１に示すように正面パネル５１の背面側に設けた所望の取付部５１Ａにネジなどで固定されることによって、正面パネル５１の正面にキー穴４の正面側を表出して取り付けられる。
【００３１】
次に、本発明の要部である連結部材１０について説明する。
図８（ａ）は連結部材を示す正面図、図８（ｂ）は連結部材を示す側面図、図８（ｃ）は連結部材を示す背面図、図８（ｄ）は連結部材を示す側断面図、図９（ａ）は筒軸を示す側面図、図９（ｂ）は筒軸を示す背面図、図９（ｃ）は筒軸を示す側断面図、図１０（ａ）は支持軸を示す正面図、図１０（ｂ）は支持軸を示す側面図、図１０（ｃ）は支持軸を示す側断面図、図１１（ａ）は取付基部を示す側面図、図１１（ｂ）は取付基部を示す背面図、図１１（ｃ）は取付基部を示す側断面図、図１２はシリンダ錠と連結部材との連結状態を示す一部裁断側面図である。
【００３２】
図８（ａ）〜（ｃ）に示すように、連結部材１０は、筒軸１１と、支持軸１２と、取付基部１３とを有する。図９（ａ）〜（ｃ）に示すように、筒軸１１は、長手筒状に形成されている。筒軸１１の外形は円筒形状をなしている。筒軸１１の内形は、テールピース５の嵌合子５Ｃを嵌挿するように、本実施の形態では六角形状の嵌挿穴部１１Ａをなしている。また、筒軸１１の背面側となる基端縁には、筒軸１１の外径よりも膨出した円形の係止部１１Ｂが形成されている。
【００３３】
図１０（ａ）〜（ｃ）に示すように、支持軸１２は、回動板１２Ａと、嵌合子１２Ｂと、取付軸部１２Ｃとを有している。回動板１２Ａは、円盤状に形成されている。嵌合子１２Ｂは、回動板１２Ａの正面側の中心に設けられている。この嵌合子１２Ｂは、上述したテールピース５の嵌合子５Ｃと同形状であって、球体をなし、その外周が回動軸線に沿って複数（本実施の形態では六面）の面１２Ｂａを形成するごとく切削されている。すなわち、嵌合子１２Ｂは、筒軸１１の嵌挿穴部１１Ａに嵌挿し得るように形成されてる。取付軸部１２Ｃは、回動板１２Ａの背面側の中心に設けられている。取付軸部１２Ｃの先端には、ネジ穴１２Ｃａが穿設されている。このように形成された支持軸１２は、回動板１２Ａ，嵌合子１２Ｂ，取付軸部１２Ｃ（ネジ穴１２Ｃａ）が、同じ回動軸線上に配されるように構成されている。
【００３４】
図１１（ａ）〜（ｃ）に示すように、取付基部１３は、本実施の形態では、シリンダ錠１における外筒２の背面側に設けられたフランジ部２Ａと同形状のフランジ部１３Ａを基体としている。フランジ部１３Ａの略中心位置には、貫通穴１３Ｂが穿設されている。フランジ部１３Ａの正面側には、円筒状の係止筒１３Ｃが設けられている。係止筒１３Ｃは、前記貫通穴１３Ｂの正面側の開口部をなし、その開口縁に内方に狭窄した係止爪１３Ｃａが設けられている。フランジ部１３Ｂの背面側であって、前記貫通穴１３Ｂの背面側の開口部となる部位には、係止筒１３Ｃと中心軸線を同じとする円形の凹段部１３Ｄが設けられている。
【００３５】
上記筒軸１１，支持軸１２，取付基部１３からなる連結部材１０は、図８（ｄ）に示すように、取付基部１３の背面側から筒軸１１を挿通し、取付基部１３の凹段部１３Ｄに支持軸１２の回転板１２Ａを挿入する。そして、取付基部１３の背面側に蓋体１３Ｅを取り付けて組み立てられる。この構成において、筒軸１１は、基端の係止部１１Ｂが、係止筒１３Ｃの係止爪１３Ｃａに係止して正面側に抜けることなく支持される。また、支持軸１２は、蓋体１３Ｅによって背面側に抜けることがない。これにより、筒軸１１は、支持軸１２の回転板１２Ａによって背面側にも抜けることなく支持される。また、支持軸１２の取付軸部１２Ｃは、蓋体１３Ｅの穴部１３Ｅａを介して、取付基部１３の背面側に突出する。この取付軸部１２Ｃのネジ穴１２Ｃａには、図１および図２に示すように、上述したカム板２７が取り付けられる。
【００３６】
このように組み立てられた連結部材１０において、筒軸１１は、係止筒１３Ｃに支持されて自身の軸線廻りに回動可能であり、且つ、基端が係止爪１３Ｃａに係止されつつ傾斜可能とされている。また、支持軸１２は、回転板１２Ａが凹段部１３Ｄに支持されて回動可能とされ、且つ、嵌合子１２Ｂが、筒軸１１の嵌挿穴部１１Ａに嵌挿されている。すなわち、筒軸１１と支持軸１２とは、互いに嵌合して同じ回動軸線上にて一体に回動する。また、筒軸１１は、嵌合子１２Ｂを中心として傾斜し、支持軸１２と一体に回動可能でありながら前記回動軸線を折曲させる。
【００３７】
このように構成された連結部材１０は、図１および図２に示すように、取付基部１３のフランジ部１３Ａが錠機構部５２の基枠体２０に取り付けられる。なお、取付基部１３のフランジ部１３Ａは、上述の如くフランジ部２Ａと同形状でなくてもよい。フランジ部１３Ａは、パチンコ遊技台においてシリンダ錠が取り付けられた錠機構部５２の同箇所に取り付けられる形状であればよい。
【００３８】
図１２に示すように、シリンダ錠１のテールピース５は、延長杆５Ｂの先端にある嵌合子５Ｃが連結部材１０の筒軸１１に嵌挿される。これにより、シリンダ錠１と連結部材１０とが連結される。そして、シリンダ錠１のキー穴４に合鍵を挿入したときのテールピース５の回動が、筒軸１１および支持軸１２の回動として伝達される。
【００３９】
すなわち、合鍵を一方に回すと、テールピース５から連結部材１０を介してカム板２７が一方に回動する。そして、図４（ａ），（ｂ）に示すように、錠機構部５２の操作杆２３が上方向に摺動して筐体５０との係止が解除されて正面パネル５１が解錠される。また、合鍵を他方に回すと、テールピース５から連結部材１０を介してカム板２７が他方に回動する。そして、図５（ａ），（ｂ）に示すように、可動部材２５が下方向に摺動して、正面パネル５１にある別の扉（不図示）に対する係止板２５ａの係止が解除され、あるいは、リセットスイッチ（不図示）が作動される。
【００４０】
このように、従来と同様の構成のシリンダ錠１に対してテールピース５を代え、錠機構部５２において従来シリンダ錠１が取り付けられていた箇所に連結部材１０を取り付け、テールピース５と連結部材１０とを互いに嵌合連結させたことにより、合鍵を挿入して回したテールピース５の回動が、カム板２７に伝達される。すなわち、テールピース５および連結部材１０により、シリンダ錠１の主構成や錠機構部５２の構成をそのままとして、シリンダ錠１の正面のキー穴４をスロット遊技台の正面パネル５１の正面に表出させることが可能となる。
【００４１】
したがって、このように構成された施錠装置では、スロット遊技台に対しても、パチンコ遊技台に採用している施錠装置の主構成が利用可能なので、コストを低減することが可能である。また、上記施錠装置は、パチンコ遊技台およびスロット遊技台双方に使用できる汎用性を得て、且つ、パチンコ遊技台およびスロット遊技台を同じ合鍵で解錠可能となる利便性をも得ることが可能となる。
【００４２】
なお、上記構成では、テールピース５と、このテールピース５に嵌合する連結部材１０と有した構成であるが、テールピース５の先端にカム板２７を取り付ける構成とすれば、テールピース５のみを代えるだけで上記効果を得ることが可能である。
【００４３】
また、テールピース５は、その先端の嵌合子５Ｃを、連結部材１０の筒軸１１に対して、長手方向（回動軸線方向）に嵌挿する構成であるため、図１３（ａ），（ｂ）に示すように、筒軸１１と延長杆５Ｂ（嵌合子５Ｃ）との嵌合が、その長手方向に摺動可能な状態にてなされる。したがって、シリンダ錠１の位置を、前記長手方向（回動軸線方向）に移動させることが可能であり、種々の正面パネル５１の正面位置に対応してシリンダ錠１の取り付け位置を決めることが可能となる。また、シリンダ錠１の位置を、前記長手方向（回動軸線方向）に移動させることが可能なため、筐体５０，正面パネル５１，錠機構部５２などの取り付け公差に対応してシリンダ錠１の取り付け位置を決めることが可能である。
【００４４】
また、連結部材１０における支持軸１２の嵌合子１２Ｂが、球体の外周が回動軸線に沿って複数の面５Ｃａを形成するごとく切削されているため、図１４（ａ）に示すように、筒軸１１をカム板２７の回動軸線に対して傾斜可能に支持することが可能である。このため、正面パネル５１の正面形状に合わせてシリンダ錠１の正面位置を傾けることが可能である。
【００４５】
また、テールピース５の嵌合子５Ｃが、球体の外周が回動軸線に沿って複数の面５Ｃａを形成するごとく切削されているため、図１４（ｂ）に示すように、筒軸１１の回動軸線に対してテールピース５の回動軸線を傾斜可能とすることが可能である。このため、正面パネル５１の正面形状に合わせてシリンダ錠１の正面位置を傾けることが可能である。
【００４６】
また、図１４（ａ），（ｂ）の作用を組み合わせて、シリンダ錠１の正面位置を傾けてもよい。さらに、図１５に示すように、図１４（ａ），（ｂ）の作用を組み合わせて、シリンダ錠１をカム板２７の回動軸線に平行して移動させることも可能である。
【００４７】
なお、上述した実施の形態では、パチンコ遊技台に利用された施錠装置を、正面パネル５１の形状が種々異なるスロット遊技台にも利用した形態であるが、パチンコ遊技台のなかで形状が異なる（例えば、前枠の厚さが異なったり、シリンダ錠１のキー穴４を表出する位置が異なる）場合でも、上記構成により対応することが可能である。
【００４８】
【発明の効果】
以上説明したように本発明による施錠装置は、シリンダ錠の背面側にてキー挿入方向に延設された長手状の延長杆を有したテールピースを、錠機構部での解錠動作にかかる回動出力をする出力部材を回動可能に支持する連結部材に嵌合連結している。これにより、シリンダ錠の主構成や錠機構部の構成をそのままとして、テールピースを代えることで、少なくとも延長杆の長さ分シリンダ錠の取り付け位置を移動させることができる。したがって、例えば、パチンコ遊技台に対して前枠の形状が異なるスロット遊技台に対しても、パチンコ遊技台に採用している施錠装置の主構成が利用可能なので、施錠装置の設置にかかるコストを低減することができる。また、上記施錠装置は、パチンコ遊技台およびスロット遊技台双方に使用できる汎用性を得て、且つ、パチンコ遊技台およびスロット遊技台を同じ合鍵で解錠可能となる利便性をも得ることができる。
【００４９】
また、連結部材が、出力部材の回動を作用するとともに延長杆を嵌挿する長手筒状の筒軸を有し、この筒軸と延長杆との嵌合が、筒軸および延長杆の長手方向に摺動可能な状態にてなされる構成とすることにより、シリンダ錠の取り付け位置を、前記長手方向に移動させることができる。したがって、種々の前枠の正面位置に対応してシリンダ錠の取り付け位置を決めることができる。また、筐体，前枠，錠機構部などの取り付け公差に対応してシリンダ錠の取り付け位置を決めることができる。
【００５０】
また、連結部材が、錠機構部に取り付けられて筒軸を回動可能、且つ、傾斜可能となるように支持する取付基部と、取付基部に回動可能に支持されるとともに出力部材を支持し、筒軸が出力部材の回動軸線に対して傾斜可能となるように筒軸内に挿通嵌合する嵌合子をなす支持軸とを有したことにより、前枠の正面形状に合わせてシリンダ錠の正面位置を傾けることができる。
【００５１】
また、テールピースが、延長杆の先端において、筒軸の回動軸線に対してテールピースの回動軸線を傾斜可能となるように筒軸内に挿通嵌合する嵌合子を膨出形成したことにより、前枠の正面形状に合わせてシリンダ錠の正面位置を傾けることができる。
【００５２】
また、前記支持軸と前記テールピースの嵌合子の作用を組み合わせて、シリンダ錠の正面位置を傾けたり、さらに、シリンダ錠を出力部材の回動軸線に平行して移動させることもできる。
【図面の簡単な説明】
【図１】本発明の施錠装置の構成図である。
【図２】錠機構部の分解斜視図である。
【図３】（ａ）錠機構部の組立側面図である。
（ｂ）錠機構部の組立背面図である。
【図４】（ａ）錠機構部の動作を示す側面図である。
（ｂ）錠機構部の動作を示す背面図である。
【図５】（ａ）錠機構部の別の動作を示す側面図である。
（ｂ）錠機構部の別の動作を示す背面図である。
【図６】（ａ）シリンダ錠を示す正面図である。
（ｂ）シリンダ錠を示す側面図である。
（ｃ）シリンダ錠を示す背面図である。
【図７】（ａ）テールピースを示す側面図である。
（ｂ）テールピースを示す背面図（矢Ａ視）である。
【図８】（ａ）連結部材を示す正面図である。
（ｂ）連結部材を示す側面図である。
（ｃ）連結部材を示す背面図である。
（ｄ）連結部材を示す側断面図（Ｂ−Ｂ断面図）である。
【図９】（ａ）筒軸を示す側面図である。
（ｂ）筒軸を示す背面図である。
（ｃ）筒軸を示す側断面図（Ｃ−Ｃ断面図）である。
【図１０】（ａ）支持軸を示す正面図である。
（ｂ）支持軸を示す側面図である。
（ｃ）支持軸を示す側断面図（Ｄ−Ｄ断面図）である。
【図１１】（ａ）取付基部を示す側面図である。
（ｂ）取付基部を示す背面図である。
（ｃ）取付基部を示す側断面図（Ｅ−Ｅ断面図）である。
【図１２】シリンダ錠と連結部材との連結状態を示す一部裁断側面図である。
【図１３】（ａ）（ｂ）本発明の施錠装置の作用を示す側面図である。
【図１４】（ａ）（ｂ）本発明の施錠装置の別の作用を示す側面図である。
【図１５】本発明の施錠装置のさらに別の作用を示す側面図である。
【図１６】一般にパチンコ遊技台に用いられている施錠装置を示す斜視図である。
【図１７】図１６における側面図（矢Ｆ視）である。
【図１８】従来の施錠装置を示す断面図である。
【符号の説明】
１…シリンダ錠
４…キー穴
５…テールピース
５Ｂ…延長杆
５Ｃ…嵌合子
１０…連結部材
１１…筒軸
１２…支持軸
１２Ｂ…嵌合子
１３…取付基部
２７…カム板（出力部材）
５０…筐体
５１…正面パネル（前枠）
５２…錠機構部
【図１】
2004049549.tif 000003
【図２】
2004049549.tif 000004
【図３】
2004049549.tif 000005
【図４】
2004049549.tif 000006
【図５】
2004049549.tif 000007
【図６】
2004049549.tif 000008
【図７】
2004049549.tif 000009
【図８】
2004049549.tif 000010
【図９】
2004049549.tif 000011
【図１０】
2004049549.tif 000012
【図１１】
2004049549.tif 000013
【図１２】
2004049549.tif 000014
【図１３】
2004049549.tif 000015
【図１４】
2004049549.tif 000016
【図１５】
2004049549.tif 000017
【図１６】
2004049549.tif 000018
【図１７】
2004049549.tif 000019
【図１８】
2004049549.tif 000020